【手続補正書】
【提出日】令和2年12月15日(2020.12.15)
【手続補正１】
【補正対象書類名】特許請求の範囲
【補正対象項目名】全文
【補正方法】変更
【補正の内容】
【特許請求の範囲】
【請求項１】
権限のない使用を予防するセキュリティ対策を有するハンドスタンプであって、前記ハンドスタンプは、
中空の内部を有する外部シェルと、
前記外部シェルの前記中空の内部内に配置され、相対的に該内部を移動可能であり、中空の内部を有する内部シェルであって、前記内部シェルおよび前記外部シェルは共通の長手方向軸を有する内部シェルと、
前記内部シェル内の前記中空の内部内の前記外部シェルが保持するスタンプ画像と、
前記内部シェルと前記外部シェルとの間の付勢力を前記共通の長手方向軸に沿って第１の方向に提供する付勢装置と、
前記内部シェルと前記外部シェルとの間の前記共通の長手方向軸に沿った相対運動を制限する制限停止機構と、
前記内部シェルと前記外部シェルとの間の前記第１の方向への相対運動を、解除されるまで正常に予防するための解除可能なロック機構と、
前記外部シェルが保持し、ユーザの指紋が接触するときにユーザ識別信号を生成するための少なくとも１つのユーザ指紋センサと、
前記ハンドスタンプが保持し、前記少なくとも１つの指紋センサに結合し、前記識別信号を受信し、前記識別信号を送信可能な同等の信号に変換するように構成されるマイクロコントローラユニットと、
前記マイクロコントローラユニットに結合し、権限のあるユーザの指紋識別信号を含む前記同等の信号を関連する装置に無線送信し、前記同等の信号が前記権限のあるユーザの指紋識別信号と一致するとき、前記関連する装置によって前記通信ユニットに無線送信される解除信号を受信する通信ユニットと、を備え、
前記マイクロコントローラユニットは、前記通信ユニットによる前記解除信号の受領に応じて、使用するために前記ハンドスタンプのロックを解除するためのロック機構解除信号を生成するように構成され、それによって権限のあるユーザの前記指紋識別信号と一致する指紋を持つユーザのみが前記ハンドスタンプを操作可能となる、ハンドスタンプ。
【請求項２】
請求項１に記載のハンドスタンプにおいて、前記付勢装置は、前記内部シェルと前記外部シェルとの間に取り付けられるばねを備える、ハンドスタンプ。
【請求項３】
請求項１に記載のハンドスタンプにおいて、前記解除可能なロック機構は電気的に操作可能なソレノイドを備え、前記マイクロコントローラユニットは、前記通信ユニットによる前記解除信号の受領に応じて、ソレノイド起動信号を生成するように構成される、ハンドスタンプ。
【請求項４】
請求項３に記載のハンドスタンプにおいて、前記ソレノイドは、前記外部シェルおよびシャフトに取り付けられる本体部材を有し、非解除状態にあるとき、前記シャフトは前記本体部材に格納可能に取り付けられ、前記内部シェルと係合する、ハンドスタンプ。
【請求項５】
請求項１に記載のハンドスタンプにおいて、前記少なくとも１つの指紋センサは、前記外部シェル上の異なる位置に取り付けられる一対の指紋センサを備え、前記指紋センサの対のそれぞれは、前記マイクロコントローラユニットに結合する、ハンドスタンプ。
【請求項６】
請求項１に記載のハンドスタンプにおいて、前記制限停止機構は、前記内部シェルに接続し、その外側に延在する少なくとも１つのポストと、前記外部シェル内に形成される少なくとも１つのスロットとを備え、前記少なくとも１つのポストは前記少なくとも１つのスロット内に延在する、ハンドスタンプ。
【請求項７】
請求項１に記載のハンドスタンプにおいて、
前記通信ユニットはブルートゥース通信ユニットを備える、ハンドスタンプ。
【請求項８】
請求項１に記載のハンドスタンプにおいて、前記マイクロコントローラユニットは、ロック解除されたときの前記ハンドスタンプの使用回数を計数するための使用回数計数機構を提供するように構成され、前記ハンドスタンプは、所定の使用回数に達したら前記ハンドスタップを使用できなくするために、前記ロック機構解除信号を停止する終了手段をさらに含む、ハンドスタンプ。
【請求項９】
請求項８に記載のハンドスタンプにおいて、
前記終了手段は、前記使用回数計数機構内の現在の計数値を示す信号を前記関連する装置に無線送信する前記通信ユニットを含み、
前記関連する装置は、受信された前記現在の計数値を示す信号を前記所定の使用回数と比較するとともに、前記現在の計数値が前記所定の使用回数に等しいときは使用停止信号を生成し、この使用停止信号を前記通信ユニットに無線送信する手段を含み、
前記マイクロコントローラユニットは、前記所定の使用回数だけ許可するように、前記通信ユニットによる前記使用停止信号の受信に応じて前記ロック機構解除信号を停止して、さらなる使用ができないように前記ハンドスタンプをロックするように構成されている、ハンドスタンプ。
【手続補正２】
【補正対象書類名】明細書
【補正対象項目名】０００７
【補正方法】変更
【補正の内容】
【０００７】
組み合わせの態様から、本発明は、使用回数計数機能と、権限のあるユーザ限定機能との両方を備えるハンドスタンプを備える。本態様によれば、本発明はハンドスタンプを備える。ハンドスタンプは、中空の内部を有する外部シェルと、外部シェルの中空の内部内に配置され、相対的に内部を移動可能であり、中空の内部を有する内部シェルであって、内部シェルおよび外部シェルは共通の長手方向軸を有する内部シェルと、内部シェル内の中空の内部内の外部シェルが保持するスタンプ画像と、内部シェルと外部シェルとの間の付勢力を共通の長手方向軸に沿って第１の方向に提供する付勢装置、好ましくはばねと、内部シェルと外部シェルとの間の共通の長手方向軸に沿った相対運動を制限する制限停止機構と、内部シェルと外部シェルとの間の第１の方向への相対運動を、解除されるまで正常に予防するための解除可能なロック機構と、外部シェルが保持し、ユーザの指紋が接触するときにユーザ識別信号を生成するための少なくとも１つのユーザ指紋センサ、好ましくは一対の指紋センサと、ハンドスタンプが保持し、少なくとも１つの指紋センサに結合し、識別信号を受信し、識別信号を送信可能な同等の信号に変換するように構成されるマイクロコントローラユニットと、マイクロコントローラユニットに結合し、権限のあるユーザの指紋信号を含む同等の信号を関連する装置に送信し、同等の信号が権限のあるユーザの指紋信号と一致するとき、通信ユニットに解除信号を送信する通信ユニットであって、マイクロコントローラユニットは、通信ユニットからの解除信号の受領に応じて、使用するためのハンドスタンプのロックを解除するためのロック機構解除信号を生成するように構成される通信ユニットと、ロック解除されるとき、ハンドスタンプの使用回数を計数するための使用回数計数機構とを備える。
【手続補正３】
【補正対象書類名】明細書
【補正対象項目名】００１２
【補正方法】変更
【補正の内容】
【００１２】
権限のあるユーザ限定機能の観点から、本発明は、権限のない使用を予防するセキュリティ対策を有するハンドスタンプを備える。ハンドスタンプは、中空の内部を有する外部シェルと、外部シェルの中空の内部内に配置され、相対的に内部を移動可能であり、中空の内部を有する内部シェルであって、内部シェルおよび外部シェルは共通の長手方向軸を有する内部シェルと、内部シェル内の中空の内部内の外部シェルが保持するスタンプ画像と、内部シェルと外部シェルとの間の付勢力を共通の長手方向軸に沿って第１の方向に提供する付勢装置、好ましくはばねと、内部シェルと外部シェルとの間の共通の長手方向軸に沿った相対運動を制限する制限停止機構と、内部シェルと外部シェルとの間の第１の方向への相対運動を、解除されるまで正常に予防するための解除可能なロック機構と、外部シェルが保持し、ユーザの指紋が接触するときにユーザ識別信号を生成するための少なくとも１つのユーザ指紋センサ、好ましくは一対の指紋センサと、ハンドスタンプが保持し、少なくとも１つの指紋センサに結合し、識別信号を受信し、識別信号を送信可能な同等の信号に変換するように構成されるマイクロコントローラユニットと、マイクロコントローラユニットに結合し、権限のあるユーザの指紋信号を含む同等の信号を関連する装置に送信し、同等の信号が権限のあるユーザの指紋信号と一致するとき、通信ユニットに解除信号を送信する通信ユニットであって、マイクロコントローラユニットは、通信ユニットからの解除信号の受領に応じて、使用するためのハンドスタンプのロックを解除するためのロック機構解除信号を生成するように構成される通信ユニット、好ましくはブルートゥース装置とを含む。解除信号によって、権限のあるユーザの指紋信号と一致する指紋を持つユーザのみがハンドスタンプを操作することができる。
【手続補正４】
【補正対象書類名】明細書
【補正対象項目名】００２０
【補正方法】変更
【補正の内容】
【００２０】
ここで図を参照すると、図１は本発明によるハンドスタンプの斜視図である。図から分かるように、ハンドスタンプは一般に符号１０で表し、外部シェル１２と、内部シェル１４とを有する。外部シェル１２上には、直径的に反対の位置に一対の指紋センサ１５、１６が位置する。指紋センサ１５、１６は、市販の既知の装置であり、センサ１５、１６と表面接触する個人独自の模様を持つ個人の指および親指の部分で外部シェル１２を握る個人の指紋および母印を示す信号を生成可能である。好ましい実施形態では、指紋センサは、それぞれ、セルビア共和国ベルグラード市のＭｉｃｒｏＥｌｅｃｔｒｏｎｉｋａ社から入手可能なＭＩＫＲＯＥ−１７２２センサの種類である。その他の市販の指紋センサを当業者の好みに応じて用いてもよい。
【手続補正５】
【補正対象書類名】明細書
【補正対象項目名】００２９
【補正方法】変更
【補正の内容】
【００２９】
図６は、図１の実施形態の電子システムを例示するブロック図である。図から分かるように、指紋センサ１５、１６および磁場センサ４８の両方ともモジュール４１のＭＣＵ部の専用入力に結合する。モジュール４１のＭＣＵ部の異なる出力は、個別に表示装置１８およびソレノイド４４に結合する。表示装置１８に供給される情報は、モジュール４１のＭＣＵ部内に構成されるカウンタが有する、ハンドスタンプ１０の現在の使用回数である。ソレノイド４４に供給される情報は、後述するように、権限のあるユーザがハンドスタンプ１０を操作しているときにのみ生成可能なソレノイド起動信号である。
【手続補正６】
【補正対象書類名】明細書
【補正対象項目名】００３０
【補正方法】変更
【補正の内容】
【００３０】
モジュール４１のブルートゥース部は双方向通信モードでハンドスタンプ１０とユーザのスマートフォン５０に結合する。ユーザのスマートフォン５０は、特別な専用ＡＰＰを備えるように構成され、ユーザのスマートフォン５０はモジュール４１とスマートフォン５０との間のデータ通信、およびスマートフォン５０と１または複数の権限のある管理職のスマートフォンとの間のデータ通信を可能にする。管理職のスマートフォンは、所望のユーザスマートフォン５０に、上司がハンドスタンプ１０の使用を許可することを望むユーザの指紋情報を送信するように構成される。この指紋情報はユーザスマートフォン５０に記憶される。
【手続補正７】
【補正対象書類名】明細書
【補正対象項目名】００３１
【補正方法】変更
【補正の内容】
【００３１】
ユーザがハンドスタンプ１０を操作することを望むとき、ユーザは親指および１本の指を指紋センサ１５、１６上に配置する。指紋センサ１５、１６が生成する情報はモジュール４１のＭＣＵ部に結合され、この情報はユーザスマートフォン５０にモジュール４１のブルートゥース部を通じて中継される。ユーザスマートフォン５０は、モジュール４１から受信した情報を内部に記憶していた指紋情報と比較する。適合するものがあれば、ユーザスマートフォンは許可信号をモジュール４１に送信し、モジュール４１のＭＣＵ部はソレノイド４４を起動し、それによって、ハンドスタンプ１０の操作が可能となる。適合するものがなければ、許可信号は送信されず、ハンドスタンプはロックされたままとなる。
【手続補正８】
【補正対象書類名】明細書
【補正対象項目名】００３５
【補正方法】変更
【補正の内容】
【００３５】
前述の記載から、本発明の好ましい実施形態の完全な開示、様々な修正、代替構成および同等物が当業者には考案されるであろう。たとえば、指紋センサ１５、１６は外部シェル１２の直径方向の反対の位置に配置されるように例示し、記載したが、これらの要素は外部シェル１２の表面上の、ユーザにとって便利な別の位置に配置されてもよい。さらに、本発明の好ましい実施形態では、対向して配置されるポスト３１およびスロット３３を例示し、記載したが、設計者の好みにしたがって、ポスト３１およびスロット３３の構成および数は異なっていてもよい。また、ソレノイド４４は軸部２２の上面に取り付けられ、ソレノイドシャフト４５は内部シェル１４の上面２９と係合可能であると例示し、記載したが、所望であれば、ソレノイド４４を外部シェル１２の内壁内に取り付け、ソレノイドシャフト４５は、内部シェル１４の外壁に形成されるクロスボアと係合可能であってもよい。最後に、本発明の好ましい実施形態は、前述の従来技術文献に示し、記載される従来のインク機構を持たないハンドスタンプとして例示し、記載したが、このような浸透印機構を本発明の教示により製造されるハンドスタンプに搭載してもよいことを理解されたい。したがって、上記の記載は本発明の限定と解釈されてはならず、本発明は添付請求項によって規定される。
【手続補正９】
【補正対象書類名】明細書
【補正対象項目名】００３６
【補正方法】変更
【補正の内容】
【００３６】
１０    ：ハンドスタンプ
１２    ：外部シェル
１４    ：内部シェル
１５    ：指紋センサ
１６    ：指紋センサ
１７    ：上面部分
１８    ：表示装置
２０    ：スタンプ画像面
２２    ：軸部
２３    ：上部内面
２４    ：接続軸
２５    ：プラットホーム
２７    ：付勢ばね
２９    ：上端部
３１    ：ポスト
３２    ：下端部
３３    ：スロット
３４    ：上端部
４１    ：モジュール
４２    ：バッテリ
４４    ：ソレノイド
４５    ：シャフト
４７    ：磁石
４８    ：磁場センサ
５０    ：スマートフォン
５５    ：ブロック
【手続補正１０】
【補正対象書類名】図面
【補正対象項目名】図６
【補正方法】変更
【補正の内容】
【図６】
2018187913.tif 000001